【手続補正書】
【提出日】平成20年5月26日(2008.5.26)
【手続補正１】
【補正対象書類名】特許請求の範囲
【補正対象項目名】全文
【補正方法】変更
【補正の内容】
【特許請求の範囲】
【請求項１】
光源手段と、前記光源手段から出射した光束を偏向させる光偏向器と、前記光源手段と前記光偏向器の偏向面との間の光路中に配置され、かつ前記光源手段から出射した光束が副走査断面内において前記光偏向器の偏向面の法線に対して角度を持って入射させる入射光学系と、前記光偏向器の偏向面によって偏向された光束を被走査面上に結像させる結像光学系と、を有する光走査装置において、
前記結像光学系は、主走査方向にパワーを有する第１の結像レンズと、副走査方向にパワーを有する第２の結像レンズとを有し、
前記偏向面と前記第２の結像レンズとの間の光路中に光路を折り返す第１のミラーが配置され、
前記第２の結像レンズと前記被走査面との間の光路中に光路を折り返す第２のミラーが配置されており、
前記第１のミラーによる光路の折り返しを行わず光路を展開した光学配置において、前記第２の結像レンズは、副走査断面内において、前記光偏向器の偏向面によって偏向された光束の主光線の通過位置に対して前記第２の結像レンズの光軸が前記偏向面の偏向点上の法線に近づく方向に偏心しており、
前記第１のミラーは、副走査断面内において、前記光偏向器の偏向面によって偏向された光束を前記偏向面の法線に近づく方向に反射させるように配置されており、
副走査断面内であって、前記偏向面の法線方向において、前記第２の結像レンズは、前記第１のミラーと前記第２のミラーとの間の光路中に配置されており、
副走査断面内において、前記偏向面から前記第１のミラーの反射点までの前記偏向面の法線方向の距離をＤ１、前記偏向面から前記第１の結像レンズの被走査面側の面までの距離をＤ２、前記偏向面の法線と前記偏向面で偏向された光束の主光線との成す角度をα、前記第１のミラーへ入射する入射光束と前記第１のミラーにて反射された反射光束との成す角度をβ、前記第１の結像レンズの副走査方向の有効長をＬ１、前記第２の結像レンズの副走査方向の有効長をＬ２、前記第２の結像レンズの偏心量をＳとし、前記Ｓの符号を正とするとき、
【数１】
2006337792.tif 000001
なる条件を満足することを特徴とする光走査装置。
【請求項２】
複数の光源手段と、前記複数の光源手段から出射した複数の光束を同一の偏向面で偏向する光偏向器と、前記複数の光源手段と前記光偏向器の偏向面との間の光路中に配置され、かつ前記複数の光源手段から出射した複数の光束が副走査断面内において前記光偏向器の同一の偏向面の法線に対して角度を持って入射させる入射光学系と、前記光偏向器の偏向面によって偏向された光束を被走査面上に結像させる結像光学系と、を有する光走査装置において、
前記結像光学系は、主走査方向にパワーを有する第１の結像レンズと、副走査方向にパワーを有する第２の結像レンズとを有しており、
前記複数の光源手段のうち第１の光源手段から出射した第１の光束が前記被走査面に至る光路中であって、前記偏向面と前記第２の結像レンズとの光路中に光路を折り返す第１のミラーが配置され、
前記第２の結像レンズと前記被走査面との光路中に光路を折り返す第２のミラーが配置されており、
前記第１のミラーによる光路の折り返しを行わず光路を展開した光学配置において、前記第２の結像レンズは、副走査断面内において主光線の通過位置に対して前記第２の結像レンズの光軸が前記偏向面の偏向点上の法線に近づく方向に偏心しており、
前記第１のミラーは、副走査断面内において、前記光偏向器の偏向面によって偏向された光束を前記偏向面の法線に近づく方向に反射させるように配置されており、
副走査断面内であって、前記偏向面の法線方向において、前記第２の結像レンズは、前記第１のミラーと前記第２のミラーとの間の光路中に配置されており、
副走査断面内において、前記偏向面から前記第１のミラーの反射点までの前記偏向面の法線方向の距離をＤ１、前記偏向面から前記第２の結像レンズの前記光偏向器側の面までの距離をＤ３、前記偏向面の法線と前記偏向面で偏向された光束の主光線との成す角度をα、前記第１のミラーへ入射する入射光束と前記第１のミラーにて反射された反射光束をβ、前記複数の光源手段のうち第２の光源手段から出射された第２の光束が前記偏向面で偏向されたときの反射光束と前記偏向面の法線との角度をγ、前記偏向面で偏向された第２の光束のＦｎｏで決まる放射角度の半値をθ、前記第１の結像レンズの副走査方向の有効長をＬ１、前記第２の結像レンズの副走査方向の有効長をＬ２、前記第２の結像レンズの偏心量をＳとし、前記Ｓの符号を正とするとき、
【数２】
2006337792.tif 000002
なる条件を満足することを特徴とする光走査装置。
【請求項３】
前記第２のミラーにて反射された反射光束は。副走査断面内において、前記偏向点を通る前記偏向面の法線に近づく方向に反射されることを特徴とする請求項１又は２に記載の光走査装置。
【請求項４】
主走査断面内において、前記入射光学系の光軸と前記結像光学系の光軸は直交し、かつ前記光偏向器の偏向面の反射面数は６面以下であることを特徴とする請求項１乃至３の何れか１項に記載の光走査装置。
【請求項５】
前記複数の光源手段は、同一の面内に配置され、前記複数の光源手段の各光源手段の取り付けは、前記同一の面に対して前記光源手段の光軸が垂直となるように配置されていることを特徴とする請求項２に記載の光走査装置。
【請求項６】
前記入射光学系は、前記光源手段に対応して設けた複数の光学素子を有し、副走査方向に配置した複数の光学素子の光軸は、副走査断面内で互いに異なる角度を有し、前記複数の光学素子は一体の部材として形成されていることを特徴とする請求項２乃至５の何れか１項に記載の光走査装置。
【請求項７】
主走査断面内において、前記複数の光源手段は、前記結像光学系の光軸に対して片側に配置され、前記偏向点と前記光源手段との間隔は、前記結像光学系の走査範囲の最大像高の１．２倍以下であることを特徴とする請求項２又は５に記載の光走査装置。
【請求項８】
主走査断面内において、前記複数の光源手段は、前記結像光学系の光軸に対して片側に配置され、前記偏向点と前記光源手段との間隔は、前記第１のミラーの端部又は前記第２のミラーの端部と前記結像光学系の光軸の間隔の１．２倍以下であることを特徴とする請求項２、５又は７に記載の光走査装置。
【請求項９】
主走査断面内において、前記複数の光源手段は、前記結像光学系の光軸に対して片側に配置され、前記第２の結像レンズが光学箱とは別部材の取り付けられるとき、前記偏向点と前記光源手段との間隔は、前記第１の結像レンズの端部と前記結像光学系の光軸の間隔の１．２倍以下であることを特徴とする請求項２、５、７又は８に記載の光走査装置。
【請求項１０】
各々が請求項１乃至９の何れか１項に記載の光走査装置の被走査面に配置され、互いに異なった色の画像を形成する複数の像担持体とを有することを特徴とする画像形成装置。 
【請求項１１】
外部機器から入力した色信号を異なった色の画像データに変換して各々の光走査装置に入力せしめるプリンタコントローラを有していることを特徴とする請求項１０に記載の画像形成装置。
【手続補正２】
【補正対象書類名】明細書
【補正対象項目名】００１３
【補正方法】変更
【補正の内容】
【００１３】
請求項１の発明の光走査装置は、光源手段と、前記光源手段から出射した光束を偏向させる光偏向器と、前記光源手段と前記光偏向器の偏向面との間の光路中に配置され、かつ前記光源手段から出射した光束が副走査断面内において前記光偏向器の偏向面の法線に対して角度を持って入射させる入射光学系と、前記光偏向器の偏向面によって偏向された光束を被走査面上に結像させる結像光学系と、を有する光走査装置において、
前記結像光学系は、主走査方向にパワーを有する第１の結像レンズと、副走査方向にパワーを有する第２の結像レンズとを有し、
前記偏向面と前記第２の結像レンズとの間の光路中に光路を折り返す第１のミラーが配置され、
前記第２の結像レンズと前記被走査面との間の光路中に光路を折り返す第２のミラーが配置されており、
前記第１のミラーによる光路の折り返しを行わず光路を展開した光学配置において、前記第２の結像レンズは、副走査断面内において、前記光偏向器の偏向面によって偏向された光束の主光線の通過位置に対して前記第２の結像レンズの光軸が前記偏向面の偏向点上の法線に近づく方向に偏心しており、
前記第１のミラーは、副走査断面内において、前記光偏向器の偏向面によって偏向された光束を前記偏向面の法線に近づく方向に反射させるように配置されており、
副走査断面内であって、前記偏向面の法線方向において、前記第２の結像レンズは、前記第１のミラーと前記第２のミラーとの間の光路中に配置されており、
副走査断面内において、前記偏向面から前記第１のミラーの反射点までの前記偏向面の法線方向の距離をＤ１、前記偏向面から前記第１の結像レンズの被走査面側の面までの距離をＤ２、前記偏向面の法線と前記偏向面で偏向された光束の主光線との成す角度をα、前記第１のミラーへ入射する入射光束と前記第１のミラーにて反射された反射光束との成す角度をβ、前記第１の結像レンズの副走査方向の有効長をＬ１、前記第２の結像レンズの副走査方向の有効長をＬ２、前記第２の結像レンズの偏心量をＳとし、前記Ｓの符号を正とするとき、
【数３】
2006337792.tif 000003
なる条件を満足することを特徴としている。
【手続補正３】
【補正対象書類名】明細書
【補正対象項目名】００１４
【補正方法】変更
【補正の内容】
【００１４】
請求項２の発明の光走査装置は、複数の光源手段と、前記複数の光源手段から出射した複数の光束を同一の偏向面で偏向する光偏向器と、前記複数の光源手段と前記光偏向器の偏向面との間の光路中に配置され、かつ前記複数の光源手段から出射した複数の光束が副走査断面内において前記光偏向器の同一の偏向面の法線に対して角度を持って入射させる入射光学系と、前記光偏向器の偏向面によって偏向された光束を被走査面上に結像させる結像光学系と、を有する光走査装置において、
前記結像光学系は、主走査方向にパワーを有する第１の結像レンズと、副走査方向にパワーを有する第２の結像レンズとを有しており、
前記複数の光源手段のうち第１の光源手段から出射した第１の光束が前記被走査面に至る光路中であって、前記偏向面と前記第２の結像レンズとの光路中に光路を折り返す第１のミラーが配置され、
前記第２の結像レンズと前記被走査面との光路中に光路を折り返す第２のミラーが配置されており、
前記第１のミラーによる光路の折り返しを行わず光路を展開した光学配置において、前記第２の結像レンズは、副走査断面内において主光線の通過位置に対して前記第２の結像レンズの光軸が前記偏向面の偏向点上の法線に近づく方向に偏心しており、
前記第１のミラーは、副走査断面内において、前記光偏向器の偏向面によって偏向された光束を前記偏向面の法線に近づく方向に反射させるように配置されており、
副走査断面内であって、前記偏向面の法線方向において、前記第２の結像レンズは、前記第１のミラーと前記第２のミラーとの間の光路中に配置されており、
副走査断面内において、前記偏向面から前記第１のミラーの反射点までの前記偏向面の法線方向の距離をＤ１、前記偏向面から前記第２の結像レンズの前記光偏向器側の面までの距離をＤ３、前記偏向面の法線と前記偏向面で偏向された光束の主光線との成す角度をα、前記第１のミラーへ入射する入射光束と前記第１のミラーにて反射された反射光束をβ、前記複数の光源手段のうち第２の光源手段から出射された第２の光束が前記偏向面で偏向されたときの反射光束と前記偏向面の法線との角度をγ、前記偏向面で偏向された第２の光束のＦｎｏで決まる放射角度の半値をθ、前記第１の結像レンズの副走査方向の有効長をＬ１、前記第２の結像レンズの副走査方向の有効長をＬ２、前記第２の結像レンズの偏心量をＳとし、前記Ｓの符号を正とするとき、
【数４】
2006337792.tif 000004
なる条件を満足することを特徴としている。
【手続補正４】
【補正対象書類名】明細書
【補正対象項目名】００１５
【補正方法】変更
【補正の内容】
【００１５】
請求項３の発明は請求項１又は２の発明において、前記第２のミラーにて反射された反射光束は。副走査断面内において、前記偏向点を通る前記偏向面の法線に近づく方向に反射されることを特徴としている。
【手続補正５】
【補正対象書類名】明細書
【補正対象項目名】００１６
【補正方法】変更
【補正の内容】
【００１６】
請求項４の発明は請求項１乃至３のいずれか１項の発明において、主走査断面内において、前記入射光学系の光軸と前記結像光学系の光軸は直交し、かつ前記光偏向器の偏向面の反射面数は６面以下であることを特徴としている。
【手続補正６】
【補正対象書類名】明細書
【補正対象項目名】００１７
【補正方法】変更
【補正の内容】
【００１７】
請求項５の発明は請求項２の発明において、前記複数の光源手段は、同一の面内に配置され、前記複数の光源手段の各光源手段の取り付けは、前記同一の面に対して前記光源手段の光軸が垂直となるように配置されていることを特徴としている。
【手続補正７】
【補正対象書類名】明細書
【補正対象項目名】００１８
【補正方法】変更
【補正の内容】
【００１８】
請求項６の発明は請求項２乃至５の何れか１項の発明において、前記入射光学系は、前記光源手段に対応して設けた複数の光学素子を有し、副走査方向に配置した複数の光学素子の光軸は、副走査断面内で互いに異なる角度を有し、前記複数の光学素子は一体の部材として形成されていることを特徴としている。
【手続補正８】
【補正対象書類名】明細書
【補正対象項目名】００１９
【補正方法】変更
【補正の内容】
【００１９】
請求項７の発明は請求項２又は５の発明において、主走査断面内において、前記複数の光源手段は、前記結像光学系の光軸に対して片側に配置され、前記偏向点と前記光源手段との間隔は、前記結像光学系の走査範囲の最大像高の１．２倍以下であることを特徴としている。
【手続補正９】
【補正対象書類名】明細書
【補正対象項目名】００２０
【補正方法】変更
【補正の内容】
【００２０】
請求項８の発明は請求項２、５又は７の発明において、主走査断面内において、前記複数の光源手段は、前記結像光学系の光軸に対して片側に配置され、前記偏向点と前記光源手段との間隔は、前記第１のミラーの端部又は前記第２のミラーの端部と前記結像光学系の光軸の間隔の１．２倍以下であることを特徴としている。
【手続補正１０】
【補正対象書類名】明細書
【補正対象項目名】００２１
【補正方法】変更
【補正の内容】
【００２１】
請求項９の発明は請求項２、５、７又は８の発明において、主走査断面内において、前記複数の光源手段は、前記結像光学系の光軸に対して片側に配置され、前記第２の結像レンズが光学箱とは別部材の取り付けられるとき、前記偏向点と前記光源手段との間隔は、前記第１の結像レンズの端部と前記結像光学系の光軸の間隔の１．２倍以下であることを特徴としている。
【手続補正１１】
【補正対象書類名】明細書
【補正対象項目名】００２２
【補正方法】変更
【補正の内容】
【００２２】
請求項１０の発明の画像形成装置は、各々が請求項１乃至９の何れか１項に記載の光走査装置の被走査面に配置され、互いに異なった色の画像を形成する複数の像担持体とを有することを特徴としている。
【手続補正１２】
【補正対象書類名】明細書
【補正対象項目名】００２３
【補正方法】変更
【補正の内容】
【００２３】
請求項１１の発明は請求項１０の発明において、外部機器から入力した色信号を異なった色の画像データに変換して各々の光走査装置に入力せしめるプリンタコントローラを有していることを特徴としている。
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００３５
【補正方法】変更
【補正の内容】
【００３５】
図２において121は偏向面105aの偏向点（偏向点上）122における法線である。123は第２の結像レンズ107の光軸であり、主光線の通過位置に対して法線121に近づく方向(図面上、上側)に偏心しており、また同時に第２の結像レンズ107への入射光に対してもポリゴンミラー105の法線121に近づく方向に偏心している。124はポリゴンミラー105により反射偏向された光線(光線通過位置)である。
【手続補正１８】
【補正対象書類名】明細書
【補正対象項目名】００４０
【補正方法】変更
【補正の内容】
【００４０】
図３は本発明の実施例１の光偏向器105周辺の副走査断面図である。同図において図２に示した要素と同一要素には同符番を付している。尚、図２は図３において折り返しミラーによる航路の折り返しを行なわず光路を展開した光学配置を示している。
【手続補正１９】
【補正対象書類名】明細書
【補正対象項目名】００７９
【補正方法】変更
【補正の内容】
【００７９】
本実施例においては第１、第２のスキャナーＳＫ１、ＳＫ２が共通のポリゴンミラー７を併用しており、かつ第１、第２のスキャナーＳＫ１、ＳＫ２は、該ポリゴンミラー７の異なった偏向面で反射偏向した光束を用いている。また光源手段１，２は主走査断面内において第１、第２の結像光学系ＳＬ１、ＳＬ２の光軸に対して同じ側（片側）に配置されている。
【手続補正２０】
【補正対象書類名】明細書
【補正対象項目名】０１０４
【補正方法】変更
【補正の内容】
【０１０４】
このグラフからも分かるように入射角度を９０度で、焦点距離を１５０mm以下とするとポリゴンミラー面数が7面以上ではポリゴンミラー径は５０mm以上が必要となり、ポリゴンミラー自体のコスト及び大径ポリゴンミラーを回転させるためのモータが必要となり、製作が困難に成る。実用上ポリゴンミラー径はφ２０以下が望ましく、最大でもφ４０以下とする必要があることから本実施例の形態をとった場合にはポリゴン面数（反射面数）は４面以下が望ましく、最悪でも６面以下とする必要がある。
【手続補正２１】
【補正対象書類名】明細書
【補正対象項目名】０１０８
【補正方法】変更
【補正の内容】
【０１０８】
したがって入射光学系のシリンドリカルレンズ６を一体の部材とすることで部品の点数の削減及び従来個々のレンズの組み付け時に発生した組み付け誤差の相対差がなくなり、製造が容易と成るとともに製品の光学性能の向上が可能となる。
【手続補正２２】
【補正対象書類名】明細書
【補正対象項目名】０１２５
【補正方法】変更
【補正の内容】
【０１２５】
また第１のミラー２４，２５後の第２の結像レンズ１０，１１を光学箱に配置せず、別部材の本体に取り付けるような構成をとった場合には第１のミラー２４，２５前の第１の結像レンズ８，９の端部から光軸２０，２１までの距離Ｗ３の１．２倍以下に光源手段１，２から偏向点７ｂまでの距離を設定すれば光学箱３６を大幅に小型化することが可能である。尚、このときは結像レンズの配置精度を調整手段等で調整すれば良い。